(57)【要約】【課題】自動選択された撮影モードの妥当性を、撮影者が、シャッターキーを押す前に確実に判定できるようにする。【解決手段】シャッターキー１６が半押し操作されると、カメラ装置１０が、入力画像に適するように自動選択した撮影モードを表示部１４に表示し、シャッターキー１６が本押しされると選択された撮影モードで撮像して画像データを生成するカメラ装置１０において、シャッターキー１６が半押し操作されたとき、自動選択した撮像モードで予備的に撮像して予備的画像データを得、該予備的画像データを選択した撮影モードで予測演算処理して静止画像データを生成し、生成した静止画像データから、実際に撮像する画像の画素数より少ない画素数の撮影予測画像１０６（静止画）を生成し、表示部１４上に選択した撮影モードとともに表示する。【選択図】図１１
2008136039.tif 000002
【特許請求の範囲】
【請求項１】
所定キーが操作されると入力画像に適するように自動選択した撮影モードを表示部に表示し、シャッターキーが操作されると前記撮影モードで撮像して画像データを生成する制御部を有するカメラ装置において、
前記制御部は、
前記所定キーが操作されたとき、自動選択した撮像モードで予備的に撮像して予備的画像データを得、該予備的画像データを前記撮影モードで予測演算処理して静止画像データを生成し、
生成した前記静止画像データから、実際に撮像する画像の画素数より少ない画素数の撮影予測画像を生成し、
前記表示部上に前記撮影モードとともに、前記撮影予測画像を表示する
ことを特徴とするカメラ装置。
【請求項２】
請求項１記載のカメラ装置において、
前記所定キーは、前記シャッターキーの半押し操作とした
ことを特徴とするカメラ装置。
【請求項３】
請求項１記載のカメラ装置において、
前記制御部は、
前記所定キーが操作されたとき、前記シャッターキーが操作される前に、
前記表示部上に前記撮影モードとともに、前記撮影予測画像を縮小した縮小撮影予測画像を表示し、かつスルー画像を表示する
ことを特徴とするカメラ装置。
【請求項４】
請求項１記載のカメラ装置において、
前記制御部は、
前記所定キーの操作後、前記シャッターキーが操作されることなく、前記所定キーの操作が解除され、さらに前記所定キーが操作されたとき、再び入力画像に適するように撮像モードを自動選択する
ことを特徴とするカメラ装置。
【請求項５】
請求項１記載のカメラ装置において、
前記制御部は、
前記所定キーが操作されたとき、少なくとも２つの撮影モードを自動選択し、
自動選択した少なくとも２つの前記撮像モードで予備的に撮像して少なくとも２つの予備的画像データを得、少なくとも２つの該予備的画像データを前記撮影モードで予測演算処理して少なくとも２つの静止画像データを生成し、
生成した少なくとも２つの前記静止画像データから、実際に撮像する画像の画素数より少ない画素数の対応する少なくとも２つの撮影予測画像を生成し、
前記表示部上の一部に少なくとも２つの前記撮影モードとともに、少なくとも２つの前記撮影予測画像を表示し、
前記シャッターキーが操作されたとき、少なくとも２つの前記撮影モードで連写して撮像して、対応する少なくとも２つの画像データを生成する
ことを特徴とするカメラ装置。
【請求項６】
所定キーが操作されると、入力画像に適するように自動選択した撮影モードを表示部に表示し、シャッターキーが操作されると前記撮影モードで撮像して画像データを生成するカメラ装置における撮影モード選択補助方法おいて、
前記所定キーが操作されたとき、自動選択した撮像モードで予備的に撮像して予備的画像データを得、該予備的画像データを前記撮影モードで予測演算処理して静止画像データを生成するステップと、
生成した前記静止画像データから、実際に撮像する画像の画素数より少ない画素数の撮影予測画像を生成するステップと、
前記表示部上に前記撮影モードとともに、前記撮影予測画像を表示するステップと、
を備えることを特徴とするカメラ装置における撮影モード選択補助方法。
【請求項７】
請求項６記載のカメラ装置における撮影モード選択補助方法において、
前記所定キーは、前記シャッターキーの半押し操作とした
ことを特徴とするカメラ装置における撮影モード選択補助方法。
【請求項８】
請求項６記載のカメラ装置における撮影モード選択補助方法において、
さらに、
前記所定キーが操作されたとき、前記シャッターキーが操作される前に、前記表示部上に前記撮影モードとともに、前記撮影予測画像を縮小した縮小撮影予測画像を表示し、かつスルー画像を表示するステップと、
を備えることを特徴とするカメラ装置における撮影モード選択補助方法。
【発明の詳細な説明】
【技術分野】
【０００１】
この発明は、カメラ装置及び該カメラ装置における撮影モード選択補助方法に関し、例えば、人物、風景、スポーツ、夜景等、複数の撮影モードの中から適切な撮影モードを自動選択するカメラ装置及び該カメラ装置における撮影モード選択補助方法に関する。
【背景技術】
【０００２】
従来から、カメラ装置のボディの操作部上にアイコン画像（絵表示）で表示された人物、風景、スポーツ、夜景等、複数の撮影モードの中から、撮影者がダイアル操作等により所望の撮影モードを選択して設定可能なデジタルカメラが市販されている。
【０００３】
また、これらの撮影モードの見本画像と説明文をボディに備えられたモニタに表示して、そのモニタを見ながら撮影者が選択可能にしたカメラ装置も提案されている（特許文献１）。
【０００４】
また、上記した人物、風景等の複数の撮影モードを絵表示にてモニタ上に、撮影者が選択可能に表示したカメラ装置も提案されている（特許文献２）。
【０００５】
しかしながら、これら特許文献１及び２に提案された技術では、多数の撮影モードがあり、撮影者が所望の撮影モードを選択することが困難であるという問題がある。
【０００６】
この問題を解決するために、撮影距離、又は撮影距離と焦点距離情報に基づいて、複数の撮影モードの中から適当な撮影モードをカメラ装置が自動選択するカメラ装置が提案されている（特許文献３、特許文献４）。
【０００７】
【特許文献１】特開２００２−１０１３３号公報
【特許文献２】特開平０５−２３２５７０号公報
【特許文献３】特開平０９−２８１５４１号公報
【特許文献４】特開平１０−１６１１７５号公報
【発明の開示】
【発明が解決しようとする課題】
【０００８】
しかしながら、上記特許文献３、４に係る技術では、自動選択された撮影モードにより撮像された画像を、撮影者が気に入らない場合、自動撮影モードを解除した後、手動撮影モードで、露出、白バランス、シャープネス、コントラスト等を設定する必要があり、煩わしさも含めて最適な撮影モードを選択するまでに多大な時間が必要とされる。
【０００９】
また、時間がかかることから最適な撮影モードを選択する前に、いわゆるシャッター機会が消滅してしまうという恐れもある。
【００１０】
この発明はこのような課題を考慮してなされたものであり、自動選択された撮影モードの妥当性を撮影者がシャッターキーを操作する前に簡単、正確かつ瞬時に認識し判断することを可能とするカメラ装置及び該カメラ装置における撮影モード選択補助方法を提供することを目的とする。
【課題を解決するための手段】
【００１１】
この発明に係るカメラ装置は、所定キーが操作されると、入力画像に適するように自動選択した撮影モードを表示部に表示し、シャッターキーが操作されると前記撮影モードで撮像して画像データを生成する制御部を有するカメラ装置において、以下の特徴（１）〜（５）を有する。
【００１２】
（１）前記制御部は、前記所定キーが操作されたとき、自動選択した撮像モードで予備的に撮像して予備的画像データを得、該予備的画像データを前記撮影モードで予測演算処理して静止画像データを生成し、生成した前記静止画像データから、実際に撮像する画像の画素数より少ない画素数の撮影予測画像を生成し、前記表示部上に前記撮影モードとともに、前記撮影予測画像（静止画）を表示することを特徴とする。
【００１３】
この特徴（１）を有する発明によれば、所定キーが操作されて自動選択された撮影モードによる実際の画像の撮影予測画像を、シャッターキーを操作する前に表示部上で確認することができる。
【００１４】
（２）上記特徴（１）を有する発明において、前記所定キーは、前記シャッターキーの半押し操作としたことを特徴とする。
【００１５】
この特徴（２）を有する発明によれば、撮影者は、違和感なく簡易に、この発明に係るカメラ装置を操作することができる。もちろん、所定キーは、シャッターキーと異なるキーとしてもよい。例えば、シャッターキーに人差し指をかけてカメラ装置を両手で構えた状態で、異なるキーを、例えば、右親指で操作できる位置に設けることで、半押し操作から解放される。
【００１６】
（３）上記特徴（１）を有する発明において、前記制御部は、前記表示部上に前記撮影予測画像を縮小した撮影予測画像を表示するとともに、スルー画像を表示することを特徴とする。
【００１７】
この特徴（３）を有する発明によれば、表示部上にスルー画像が表示されるとともに、表示部上の一部に撮影予測画像（静止画）が表示されるので、例えば、スルー画像を用いて画角を微調整した後、シャッターキーを操作することができる。
【００１８】
なお、撮影予測画像を表示する表示部と、スルー画像を表示する表示部を異なる表示部としてもよい。
【００１９】
（４）上記特徴（１）を有する発明において、前記制御部は、前記所定キーの操作後、前記シャッターキーが操作されることなく、前記所定キーの操作が解除され、さらに前記所定キーが操作されたとき、再び入力画像に適するように撮像モードを自動選択することを特徴とする。
【００２０】
この特徴（４）を有する発明によれば、自動選択された撮影モードに不満等がある場合に、実際の撮像前に自動選択を再実行させることができる。
【００２１】
（５）上記特徴（１）を有する発明において、前記制御部は、前記所定キーが操作されたとき、少なくとも２つの撮影モードを自動選択し、自動選択した少なくとも２つの撮像モードで予備的に撮像して少なくとも２つの予備的画像データを得、少なくとも２つの該予備的画像データを前記撮影モードで予測演算処理して少なくとも２つの静止画像データを生成し、生成した少なくとも２つの前記静止画像データから、実際に撮像する画像の画素数より少ない画素数の少なくとも２つの撮影予測画像を生成し、前記表示部上の一部に少なくとも２つの前記撮影モードとともに、少なくとも２つの前記撮影予測画像を表示し、前記シャッターキーが操作されたとき、少なくとも２つの前記撮影モードで連写して撮像して少なくとも２つの画像データを生成することを特徴とする。
【００２２】
この特徴（５）を有する発明によれば、失敗撮影の確率を減らすことができる。
【００２３】
この場合、撮影モードの選択数は、撮影モード総数の半数以下とすることが好ましい。撮影モードの選択数を撮影者が所望の数に設定できるようにしてもよい。
【００２４】
この発明に係るカメラ装置における撮影モード選択補助方法は、所定キーが操作されると、入力画像に適するように自動選択した撮影モードを表示部に表示し、シャッターキーが操作されると前記撮影モードで撮像して画像データを生成するカメラ装置における撮影モード選択補助方法おいて、以下の特徴（６）−（８）を有する。
【００２５】
（６）前記所定キーが操作されたとき、自動選択した撮像モードで予備的に撮像して予備的画像データを得、該予備的画像データを前記撮影モードで予測演算処理して静止画像データを生成するステップと、生成した前記静止画像データから、実際に撮像する画像の画素数より少ない画素数の撮影予測画像を生成するステップと、前記表示部上に前記撮影モードとともに、前記撮影予測画像を表示するステップと、を備えることを特徴とする。
【００２６】
この特徴（６）を有する発明によれば、所定キーが操作されて自動選択された撮影モードによる実際の画像の撮影予測画像を、シャッターキーを操作する前に表示部上で確認することができる。
【００２７】
（７）上記特徴（６）を有する発明において、前記所定キーは、前記シャッターキーの半押し操作キーとしたことを特徴とする。
【００２８】
この特徴（７）を有する発明によれば、撮影者は、違和感なく簡易に、この発明が適用されたカメラ装置を操作することができる。
【００２９】
（８）上記特徴（６）を有する発明において、前記制御部は、前記表示部上に前記撮影予測画像縮小した撮影予測画像を表示するとともに、スルー画像を表示することを特徴とする。
【００３０】
この特徴（８）を有する発明によれば、表示部上にスルー画像が表示されるとともに、表示部上の一部に撮影予測画像（静止画）が表示されるので、例えば、スルー画像を用いて画角を微調整した後、シャッターキーを操作することができる。
【発明の効果】
【００３１】
この発明によれば、所定キーが操作されたときに、例えば、シャッターキーが半押しされたときに自動選択された撮影モードよる撮影予測画像が表示部上に表示されるので、自動選択された撮影モードの妥当性を撮影者がシャッターキーを操作する前に簡単、正確かつ瞬時に認識し判断することができる。
【００３２】
したがって、最適な撮影モードを選択する前に、シャッター機会が消滅してしまうという恐れが大幅に低減される。また、自動選択された撮影モードを納得できない場合には、再選択を要求することができる。結果、自動選択された撮影モードでの失敗撮影も大幅に軽減される。
【発明を実施するための最良の形態】
【００３３】
以下、この発明の実施形態について図面を参照して説明する。
【００３４】
図１は、この発明に係るカメラ装置における撮影モード選択補助方法が適用された一実施形態のカメラ装置１０の概略ブロック図を示している。
【００３５】
カメラ装置１０は、ＡＥ（自動露出）機構を有し、静止画及び動画を取り込むことが可能で携帯可能なデジタルカメラである。
【００３６】
カメラ装置１０は、図示しないその外観において、正面側に、レンズ１２、ストロボ１８、ＡＦ（自動焦点）補助光ランプ４４を有し、背面側に、カラー液晶モニタである表示部１４やズームキー、メニューキー等を有し、さらに、頭面側に２段押しボタンキーであるシャッターキー１６（Ｓ１キー１６ａ、Ｓ２キー１６ｂ）、静止画の自動選択撮影モード｛人物、風景、スポーツ、夜景等、複数の撮影モードから自動的に撮影モードを選択して撮影するモード、以下ＡＳＰ（オートシーンポジション）モードともいう。｝、静止画の手動撮影モード、動画撮影モード、再生モード等を切り替えるモード切替キー、電源キー等を有している。上述した各種キーは、図１において、操作キー２０として描いている。
【００３７】
この実施形態において、シャッターキー１６は、半押し位置（Ｓ１キー１６ａ）と、この半押し位置からさらに押し込んだ全押し位置（Ｓ２キー１６ｂ：本来のシャッターキー）を備える。Ｓ１キー１６ａが押されると、ＡＥ機構が駆動されてＡＦとＡＥがロックされピントと露出が決定される。Ｓ１キー１６ａが押されたままさらにＳ２キー１６ｂが押された位置でシャッターが切られる。
【００３８】
カメラ装置１０は、撮像手段であるＣＣＤ２２により撮像した画像をＪＰＥＧ形式に変換する等の画像処理機能を備えた制御部２４を中心に構成されている。
【００３９】
制御部２４は、ＣＰＵ、ＲＯＭ、ＲＡＭ等を含み、ＲＯＭに記憶されたプログラムをＣＰＵが実行することで、後述する各種機能実現手段として機能する。
【００４０】
ＣＣＤ２の受光面には、レンズ（固定レンズとフォーカスレンズ）１２、絞り２６を通過して被写体の光学像が結像される。レンズ１２はＡＦモータ等からなる駆動機構２８に保持されており、制御部２４からの制御信号によりＡＦドライバ３０が出力する駆動信号が駆動機構２８に供給されることにより光軸上を前後に移動する合焦動作を行う。絞り２６は、制御部２４からの制御信号に基づき絞りドライバ３２が発生する駆動信号により駆動されＣＣＤ２に入射する被写体像の光量を調整する。
【００４１】
制御部２４には、さらに、タイミング信号を発生するＴＧ（タイミング発生器）３４が接続されており、ＴＧ３４が発生したタイミング信号に基づきＣＣＤ２２が駆動され、それに伴いＣＣＤ２２により被写体像の輝度に応じたアナログの撮像信号が出力され画像データ生成部３６へ送られる。
【００４２】
画像データ生成部３６は、ＣＣＤ２２から出力された撮像信号を保持するＣＤＳ（相関２重サンプリング回路）と、ＣＤＳから撮像信号を供給されるアナログアンプである自動利得調整アンプ（ＡＧＣ）と、自動利得調整アンプにより増幅され調整された撮像信号を画像データに変換するＡ／Ｄ変換器とから構成され、デジタル信号の画像データとして制御部２４に送られる。
【００４３】
画像データ（撮像信号）は、ＤＲＡＭ・ＶＲＡＭ（ビデオＲＡＭ）を含むメモリ３８に一時保存され、制御部２４によって各種の画像処理・圧縮処理が施された後、フラッシュメモリ等の記録メディア４２に映像信号として保存される。保存された映像信号は、必要に応じて制御部２４により読み出され、伸長処理された後、ビデオエンコーダ４０を通じてビデオ信号に変換され、表示部１４上に再生画像が表示される。また、シャッターキー１６が押されていないとき、表示部１４上には、ＣＣＤ２２により現に取り込んでいるスルー画像（動画）も表示される。
【００４４】
さらに、制御部２４の図示しないＲＯＭには、カメラ装置１０がＡＥ動作する際の、撮影時の適正な露出値（ＥＶ）に対応する絞り値（Ｆ）とシャッタースピードとの組み合わせを示すプログラムＡＥデータが格納されている。
【００４５】
制御部２４は、プログラムＡＥデータに従ってＣＣＤ２２の電荷蓄積時間や、絞り２６の開放度、画像データ生成部３６の利得設定等を行う。制御部２４が設定した電荷蓄積時間はシャッターパルスとして、ＴＧ３４を介してＣＣＤ２２に供給され、電荷蓄積時間すなわち露光時間が制御される。つまりＣＣＤ２２は電子シャッターとして機能する。また、プログラムには、オートフォーカス制御に関するプログラムが含まれており、このプログラムに基づき制御部２４は、レンズ１２を駆動しピント合わせ（オートフォーカス）を行う。
【００４６】
表示部１４は、撮影モードにおいては逐次撮像された画像をスルー画像として表示し、再生モードにおいては記録メディア４２に記録された画像データから生成された映像信号に基づく映像を表示する。
【００４７】
さらにまた、制御部２４は、ＲＯＭに記録されたプログラムをＣＰＵが実行することで、画像分析部５２、撮影条件自動選択部５４、及び撮影予測画像生成部５６等として機能する。その他、制御部２４には、それぞれがＲＯＭである、画像分析結果の項目別分類条件保持記憶部５８、撮影条件の項目別設定範囲記憶部６０、及び撮影モード毎の撮影条件保持記憶部６２が接続される。
【００４８】
図２は、撮影条件の項目別設定範囲記憶部６０に記憶されている、カメラ装置１０が撮影条件として設定できる範囲を示している。例えば、レンズ切替は、１−マクロ、２−標準、３−広角、４−望遠の４種類に切り替えることができる。
【００４９】
図３は、撮影モード毎の撮影条件保持記憶部６２に記憶されている撮影モード毎の撮影条件の設定値（大分類）を示している。撮影モードとして、「人物、風景、スポーツ、夜景、花火、夕焼け、花の接写」が選択可能である。
【００５０】
図４は、図３に示した撮影モード毎の撮影条件の設定値（大分類）に示されている撮影条件について、各種の揺れ（ばらつき）を考慮して各撮影モードのさらに細かな分類（中分類）を示している。例えば、大分類の撮影モード「人物」について、中分類の撮影モード「人物ａ、人物ｂ、人物ｃ、人物ｄ」が選択可能である。
【００５１】
画像分析結果の項目別分類条件保持記憶部５８の内容については、図６を参照して後述する。
【００５２】
基本的には以上のように構成されるこの実施形態に係るカメラ装置１０の動作についてフローチャートを参照して以下に説明する。なお、以下に参照するフローチャートにおいて、初期条件として、カメラ装置１０に電源が投入されていて、スルー画像（動画）が表示部１４上に表示され、さらに操作キー２０中の図示しないモード切替キーの操作により静止画の自動選択撮影モードが選択されているとする。
【００５３】
そして、このカメラ装置１０は、基本的には、シャッターキー１６が半押しされると（Ｓ１キー１６ａが操作されると）、入力画像に適するように自動選択した撮影モードを表示部１４に表示し、さらにシャッターキー１６が押し込まれて全押しされると（Ｓ２キー１６ｂが操作されると）、自動選択された撮影モードで被写体を撮像して画像データを生成するように動作する。
【００５４】
第１実施例
図５のフローチャートに示すように、まず、ステップＳ１において、制御部２４は、上記のモード切替キーの操作に従い、図７Ａに示すように、自動選択撮影モードであることを示す画面（例えば、画面中に「ＡＳＰ」の文字を表示した画面）を表示部１４に表示する。この場合、画面上には、スルー画像１００（動画）が表示される。
【００５５】
次に、ステップＳ２において、制御部２４は、シャッターキー１６が半押しされたかどうかを判定する。半押しされると（Ｓ１キー１６ａが押されると）、ステップ２ａにおいて、制御部２４は、ＡＥ機構を動作させＡＦ・ＡＥ動作を実行する。この場合、ＡＦ・ＡＥ動作が実行されて、制御部２４は、図２に示した撮影条件として、レンズ切替「標準」、合焦位置「中央固定」、合焦距離「近景」、絞り「Ｆ８」、シャッタースピード「１／３０」、優先モード「絞り優先」、測光モード「中央重点」、シャープネス「標準」、彩度「標準」、コントラスト「標準」、フィルター「無し」、フラッシュ「発光禁止」、ＩＳＯ感度「４００」、画素数「２Ｍバイト」、圧縮率「中」を設定したものとする。
【００５６】
そして、このＡＦ・ＡＥ動作を実行後、ステップＳ２ｂにおいて、制御部２４は、ＣＣＤ２２より入力され画像データ生成部３６から送られた画像データを分析する。
【００５７】
図６は、画像分析結果の項目別分類条件保持記憶部５８に記憶されている画像データの分析項目を示している。左端には、分析結果の項目が示され、右側には、分析結果として選択する１−７の範囲を示している。分析結果は、項目毎の選択範囲の組み合わせとされる。
【００５８】
ここでは、例えば、画像データに対し、合焦位置が「中央」、合焦距離が「近景」、光量合計が「中量」、光量分布が「少と多」、照明予測が「太陽光」、主要色調判定が「肌色」、輝点の種類が「無し」、線画像の方向が「上下」、被写体の動きが「無し」、被写体の認識が「人物・動物」の分析結果が得られたものとする。
【００５９】
次いで、ステップＳ２ｃにおいて、制御部２４は、上述した撮影条件と、この画像データの分析結果を用いて、予め設定されている撮影モードを、図３に示した撮影モード毎の撮影条件の設定値（大分類）及び図４に示した各撮影モードのさらに細かな分類（中分類）を参照して選択する。ここでは、入力画像に適した撮影モードとして「人物ｄ」を自動的に選択する。
【００６０】
次いで、ステップＳ３において、選択した撮影モード「人物ｄ」に対応するアイコン画像をＲＯＭより読み出して表示部１４上に表示する。この場合、アイコン画像と同時に撮影モードの名称「人物」も表示してもよい。
【００６１】
以上説明した第１実施例によれば、撮影者によりシャッターキー１６が半押しされると（Ｓ１キー１６ａが操作されると）、制御部２４は、事前に設定された複数の撮影モードの中より入力画像に適した撮影モードを自動選択して表示部１４上に選択した撮影モードを表示するようにしているので、撮影者は、カメラ装置１０が自動選択した撮影モードをアイコン画像の情報で認識することができる。
【００６２】
この第１実施例について表示部１４に表示される画像を参照して説明する。図７Ａは、Ｓ１キー１６ａを押す前の表示部１４上の表示を示している。左上隅に、自動選択撮影モードが選択されていることを示す表示「ＡＳＰ」が表示され、Ｓ１キー１６ａが押される前のスルー画像１００（動画）が表示される。自動選択された撮影モードを示すアイコン画像の表示は未だない。
【００６３】
図７Ｂは、Ｓ１キー１６ａが押されているときの表示部１４上の表示を示している。Ｓ１キー１６ａが押されているときのスルー画像１０２（動画）と、自動選択撮影モードが選択されていることを示す表示「ＡＳＰ」と、自動選択された撮影モード「人物」を表すアイコン画像１０４が左上隅に表示されている。撮影者は、このアイコン画像１０４からカメラ装置１０による自動選択撮影モードが「人物」撮影モードであることを認識することができる。
【００６４】
次に、図８のフローチャート及び図９Ａ−図９Ｃの説明図を参照して第２実施例を説明する。なお、第２実施例以降の説明において、その前に説明された処理又は構成要素と、同一又は対応する処理又は構成要素には同一の符号（ステップ番号又は参照符号）を付け、その詳細な説明は省略する。
【００６５】
第２実施例
図８のステップＳ１において、図９Ｂに示すように、Ｓ１キー１６ａを押す前に、表示部１４上には、自動選択撮影モードであることを示す画面（画面中に「ＡＳＰ」の文字を表示した画面）と、図９Ａに示す被写体９８に対応したスルー画像１００ａ（動画）が表示される。
【００６６】
次に、ステップＳ２において、シャッターキー１６が半押しされたかどうかを判定する。Ｓ１キー１６ａが押されると、ステップＳ２ａにおいて、ＡＦ・ＡＥ動作を実行する。
【００６７】
次に、ステップＳ２ｂにおいて、制御部２４は、ＣＣＤ２２より入力され画像データ生成部３６から送られた画像データを分析する。
【００６８】
次いで、ステップＳ２ｃにおいて、入力画像に適した撮影モードを自動的に選択する。
【００６９】
次いで、ステップＳ３において、選択した撮影モードに対応するアイコン画像と撮影モードの名称（図９Ｃ中、「ＡＳＰ＝人物」が該当する。）を同時に表示部１４上に表示する。
【００７０】
次に、ステップＳ４ａにおいて、自動選択した撮影モードで予備的に実際に撮像して（ＣＣＤ２２により画像を取り込んで）、必要であればストロボ１８によりプリ発光もして予備的画像データを生成し、自動選択した撮影モードで撮影実行（本撮影）した場合の静止画像データを予測演算処理により得る。
【００７１】
換言すれば、本撮影した場合と同じ撮影条件で撮像して予備的画像データを生成し、さらに生成した予備的画像データに対し、本撮影した場合と同じ画像処理を行い静止画像データを生成する。
【００７２】
より具体的には、ＡＦ設定されたレンズ１２、ＡＥ設定された絞り２６及び設定されたシャッター速度（電子シャッター）で、被写体の光学像をＣＣＤ２２上に結像させ、ＣＣＤ２２の出力から画像データ生成部３６により画像データを生成した後、この画像データに対して、制御部２４において、設定されたシャープネス処理、設定された圧縮処理等（図２参照）を行って、予備的カラー画像データ（静止画像データ）を生成する。
【００７３】
次いで、ステップＳ４ｂにおいて、撮影予測画像生成部５６は、生成した静止画像データを間引く等して、実際に撮像（本撮影）する画像の画素数より少ない画素数の撮影予測画像データを生成し、ビデオエンコーダ４０を通じて、表示部１４に撮影予測画像データに対応した撮影予測画像を表示出力する。
【００７４】
この場合、すなわち、Ｓ１キー１６ａが押されているとき、表示部１４上には、図９Ｃに示すように、表示部１４上の一部の領域に撮影予測画像１０６（静止画）を表示し、同時に、ステップＳ２ｃで自動的に選択された撮影条件を表示する。例えば、「ＡＳＰ＝人物、絞り：Ｆ３２、シャッタースピード：１／４、フラッシュ：赤目軽減、ＩＳＯ：４００等」と表示する。
【００７５】
以上説明した第２実施例によれば、撮影対象のシーンに応じて撮影モードを自動選択する自動選択撮影モードが選択されているときに、所定キーであるＳ１キー１６ａが操作されると、入力画像に適するように自動選択した撮影モードを表示部１４に表示し、シャッターキー（Ｓ２キー１６ｂ）１６が本押しされると前記撮影モードで撮像して画像データを生成する制御部２４を有するカメラ装置１０において、制御部２４は、Ｓ１キー１６ａが操作されたとき、自動選択した撮像モードで予備的に撮像して予備的画像データを得、該予備的画像データを前記撮影モードで予測演算処理して静止画像データを生成し、生成した前記静止画像データから、実際に撮像する画像の画素数より少ない画素数の撮影予測画像１０６を生成し、図９に示すように、表示部１４上に撮影モードとともに、撮影予測画像１０６（静止画）を表示するようにしている。
【００７６】
この第２実施例によれば、Ｓ１キー１６ａが操作されて自動選択された撮影モードによる実際の画像の撮影予測画像１０６を、シャッターキー１６を操作する前に表示部１４上で確認することができる。Ｓ１キー１６ａは、シャッターキー１６の半押し操作としているので、撮影者は、違和感なく簡易に、カメラ装置１０を操作することができる。もちろん、所定キーは、シャッターキーと異なるキーとしてもよい。例えば、シャッターキーに右手人差し指をかけてカメラ装置を両手で構えた状態で、前記異なるキーを、例えば、右親指で操作できる位置（カメラ装置１０の背面位置等）に設けることで、半押し操作から解放される。
【００７７】
なお、図９Ｃの表示部１４上の表示において、撮影モードを表す「ＡＳＰ＝人物」は、図７Ｂに示したアイコン画像１０４に代替してもよい。両方表示してもよい。
【００７８】
この場合、撮影予測画像１０６は、本撮影より少ない画像データを用いて表示しているので、処理の高速化が可能である。
【００７９】
次に、図１０のフローチャート及び図１１Ａ−図１１Ｃの説明図を参照して第３実施例を説明する。
【００８０】
第３実施例
図１０のステップＳ１において、図１１Ｂに示すように、Ｓ１キー１６ａを押す前に、表示部１４上には、自動選択撮影モードであることを示す表示「ＡＳＰ」、図１１Ａに示す被写体９８に対応したスルー画像１００ａ（動画）が表示される。
【００８１】
次に、ステップＳ２において、シャッターキー１６が半押しされたかどうかを判定する。Ｓ１キー１６ａが押されると、ステップＳ２ａにおいて、ＡＦ・ＡＥ動作を実行する。
【００８２】
次に、ステップＳ２ｂにおいて、制御部２４は、ＣＣＤ２２より入力され画像データ生成部３６から送られた画像データを分析する。
【００８３】
次いで、ステップＳ２ｃにおいて、入力画像に適した撮影モードを自動的に選択する。
【００８４】
次いで、ステップＳ３において、選択した撮影モードに対応するアイコン画像と撮影モードの名称を同時に表示部１４上に表示する。
【００８５】
次に、ステップＳ４ａにおいて、自動選択した撮影モードで予備的に実際に撮像して、必要であればストロボ１８によりプリ発光もして予備的画像データを生成し、自動選択した撮影モードで撮影実行（本撮影）した場合の静止画像データを予測演算処理により得る。
【００８６】
換言すれば、本撮影した場合と同じ撮影条件で撮像して予備的画像データを生成し、さらに生成した予備的画像データに対し、本撮影した場合と同じ画像処理を行い静止画像データを生成する。
【００８７】
次いで、ステップＳ４ｃにおいて、撮影予測画像生成部５６は、生成した静止画像データを圧縮して、実際に撮像（本撮影）する画像の画素数より少ない画素数の撮影予測画像を生成し、表示部１４の全面に表示出力する。この場合の表示出力は図示していないが、図１１Ｂに示したスルー画像１００ａが、少ない画素数の撮影予測画像（静止画）に代替されたイメージとなる。
【００８８】
次いで、ステップＳ５において、生成した撮影予測画像とスルー画像とを一緒に表示するとの選択がなされているかどうかを判定する。
【００８９】
もし、一緒に表示するとの選択がなされているとき、ステップＳ６において、表示部１４の全面に表示出力させた撮影予測画像（静止画）を、約２秒後に、表示部１４の画面の約１７％（表示部１４の画面の大きさにもよるが、おおよそ、１２．５％−２５％（１／８−１／４）の範囲が好ましい）に縮小表示し、同時に、表示部１４の残りの部分にスルー画像を表示する。
【００９０】
すなわち、図１１Ｃに示すように、Ｓ１キー１６ａが押されているとき、表示部１４上には、表示部１４上の一部の領域に縮小された撮影予測画像１０８（静止画）と、自動的に選択された撮影条件と、モニタ画像であるスルー画像１１０とを同時に表示する。なお、図１１Ｃに示すように、スルー画像１１０（動画）を撮影予測画像１０８（静止画）より大きく表示することで被写体９８に対する画角の調整がし易くなる。
【００９１】
上述した第３実施例によれば、制御部２４は、表示部１４上にスルー画像１１０の大きさに比較して小さい撮影予測画像１０８をするようにしているので、例えば、スルー画像１１０を用いて画角を微調整した後、シャッターキー１６を本押し操作することができる。なお、撮影予測画像１０８を表示する表示部は、例えば折りたたみ可能な表示部とし、スルー画像１１０を表示する表示部１４と異なる表示部にしてもよい。
【００９２】
次に、図１２のフローチャート及び図１３Ａ−図１３Ｃの説明図を参照して第４実施例を説明する。
【００９３】
第４実施例
この第４実施例の動作は、ステップＳ６まで、第３実施例と同一である。
【００９４】
そして、図１２のステップＳ６の処理の実行後には、図１１Ｃに示したように、Ｓ１キー１６ａが押されているとき、表示部１４上に、縮小された撮影予測画像１０８（静止画）と、自動的に選択された撮影条件（ＡＳＰ＝人物）と、モニタ画像であるスルー画像１１０とが同時に表示されている。
【００９５】
この後、ステップＳ７において、Ｓ１キー１６ａが押されているかどうかが確認され、もし押されていない場合には、制御部２４は、Ｓ１キー１６ａの操作後（ステップＳ２：肯定）、シャッターキー１６が本押しされることなく、Ｓ１キー１６ａの操作が解除されたものと判定し（ステップＳ７：否定）、ステップＳ２の判定処理にもどる。
【００９６】
この場合、撮影モードの選択も解除され、図１３Ｂに示すように、再度、図１３Ａに示す被写体９８に対応したスルー画像１１０（動画）が表示部１４上に表示される。
【００９７】
そして、ステップＳ２において、再び、シャッターキー１６が半押しされたかどうかを判定する。Ｓ１キー１６ａが再び押されると、ステップＳ２ａ−Ｓ２ｄにおいて、撮影モードの自動選択をやり直す。そして、ステップＳ４ａにおいて、実際に撮像した入力信号に対して自動選択した撮影モードで撮影実行した場合の静止画像を予測演算処理し、ステップＳ４ｃにおいて、実際に撮影実行するよりも少ない画像数で表示部全面に撮影予測画像を表示出力した後、ステップＳ５において、「一緒に表示」が選択されたとき、縮小した撮影予測画像１１２と、スルー画像１１４と、新たな撮影モードを同時に、表示部１４上に表示する。
【００９８】
この第４実施例によれば、自動選択された撮影モードに対応する撮影予測画像１１２に不満等がある場合に、実際の撮像（シャッターキー１６の本押し）前に撮影モードの自動選択を再実行させることができる。図１３Ｃの表示部１４上の表示では、図１１Ｃの表示部１４上の表示に比較して、撮影条件中のＩＳＯ値が「４００」から「２００」に変更されていることが分かる。
【００９９】
次に、図１４のフローチャート及び図１５Ａ−図１５Ｃの説明図を参照して第５実施例を説明する。
【０１００】
第５実施例
図１４のステップＳ１において、図１５Ｂに示すように、Ｓ１キー１６ａを押す前に、表示部１４上には、自動選択撮影モードであることを示す表示「ＡＳＰ」と、図１５Ａに示す被写体９８に対応したスルー画像１００ａ（動画）が表示される。
【０１０１】
次に、ステップＳ２において、シャッターキー１６が半押しされたかどうかを判定する。Ｓ１キー１６ａが押されると、ステップＳ２ａにおいて、ＡＦ・ＡＥ動作を実行する。
【０１０２】
次に、ステップＳ２ｂにおいて、制御部２４は、ＣＣＤ２２より入力され画像データ生成部３６から送られた画像データを分析する。
【０１０３】
次いで、ステップＳ２ｅにおいて、事前に複数設定されている撮影モード（図３、図４参照）の中より、入力画像に適した撮影モードを２個選択する。
【０１０４】
次に、ステップＳ２ｆにおいて、選択した２個の撮影モードを２個のアイコン画像で表示部１４に表示する。
【０１０５】
次に、ステップＳ４ａにおいて、自動選択した２個の撮影モードで予備的に実際に撮像して、必要であればストロボ１８によりプリ発光もして予備的画像データを生成し、自動選択した撮影モードで撮影実行（本撮影）した場合の２個の静止画像データを予測演算処理により得る。
【０１０６】
換言すれば、本撮影した場合と同じ撮影条件で２個撮像して予備的画像データを生成し、さらに生成した予備的画像データに対し、本撮影した場合と同じ画像処理を行い２個の静止画像データを生成する。
【０１０７】
次いで、ステップＳ４ｄにおいて、撮影予測画像生成部５６は、生成した２個の静止画像データを圧縮して、実際に撮像（本撮影）する画像の画素数より少ない画素数の撮影予測画像を生成し、表示部１４に２個に表示出力する。
【０１０８】
次いで、ステップＳ５において、生成したＮ個の撮影予測画像とスルー画像とを一緒に表示するとの選択がなされているかどうかを判定する。
【０１０９】
もし、一緒に表示するとの選択がなされたとき、ステップＳ６ａにおいて、表示部１４に表示出力させた２個の撮影予測画像（静止画）を、約２秒後に、表示部１４の画面の約１３％に縮小表示し、同時に、表示部１４の残りの部分にスルー画像を表示する。
【０１１０】
すなわち、図１５Ｃに示すように、Ｓ１キー１６ａが押されているとき、表示部１４上には、表示部１４上の一部の領域に縮小された撮影予測画像１０８、１１２（静止画）と、自動的に選択された２つの撮影条件と、モニタ画像であるスルー画像１１４とを同時に表示する。なお、スルー画像１１４（動画）を撮影予測画像１０８、１１２（静止画）より大きく表示することで被写体９８に対する画角の調整がし易くなる。
【０１１１】
この後、ステップＳ７において、Ｓ１キー１６ａが押されているかどうかが確認され、もし押されていない場合には、制御部２４は、Ｓ１キー１６ａの操作後、シャッターキー１６が本押しされることなく、Ｓ１キー１６ａの操作が解除されたものと判定し、ステップＳ２の判定処理にもどる。
【０１１２】
この場合、撮影モードの選択も解除され、図１５Ｂに示すように、再度、図１５Ａに示す被写体９８に対応したスルー画像１１０ａ（動画）が表示部１４上に表示され撮影モードの選択がやり直しされる。
【０１１３】
その一方、ステップＳ７において、Ｓ１キー１６ａが押されたままで、シャッターキー１６が本押しされると（Ｓ２キー１６ｂが押されると）、ステップＳ８において、既に自動選択されている２個の撮影モードを用いて、実際に各々の撮影モードで撮影を実行し、合計２個の画像を撮像する（連写する）。
【０１１４】
このように上述した第５実施例によれば、制御部２４は、Ｓ１キー１６ａが操作されたとき、２つの撮影モードを自動選択し、自動選択した２つの撮像モードで予備的に撮像して２つの予備的画像データを得、２つの該予備的画像データを前記撮影モードで予測演算処理して２つの静止画像データを生成し、生成した２つの前記静止画像データから、実際に撮像する画像の画素数より少ない画素数の少なくとも２つの撮影予測画像１０８、１１２を生成し、表示部１４上の一部に２つの前記撮影モードとともに、２つの撮影予測画像１０８、１１２を表示し、シャッターキー１６が操作されたとき、２つの撮影モードで連写して撮像して少なくとも２つの画像データを生成するようにしているので、失敗撮影の確率を減らすことができる。また、シャッター機会のを逃す確率を低減することができる。
【０１１５】
次に、図１６のフローチャート及び図１７Ａ−図１７Ｃの説明図を参照して第６実施例を説明する。
【０１１６】
第６実施例
図１６のステップＳ１において、図１７Ｂに示すように、Ｓ１キー１６ａを押す前に、表示部１４上には、自動選択撮影モードであることを示す表示「ＡＳＰ」と、図１７Ａに示す被写体９８に対応したスルー画像１１０（動画）が表示される。
【０１１７】
次に、ステップＳ１０において、自動選択撮影モードの数Ｎをカメラ装置１０で自動設定させるか、ステップＳ１１において、撮影者が手動で設定する。
【０１１８】
次に、ステップＳ２において、シャッターキー１６が半押しされたかどうかを判定する。Ｓ１キー１６ａが押されると、ステップＳ２ａにおいて、ＡＦ・ＡＥ動作を実行する。
【０１１９】
次に、ステップＳ２ｂにおいて、制御部２４は、ＣＣＤ２２より入力され画像データ生成部３６から送られた画像データを分析する。
【０１２０】
この後、ステップＳ１２において、撮影モードの自動選択の数Ｎが、ステップＳ１０でどのように設定されていたかに基づいて、撮影者が手動で設定すると設定されていた場合にはステップＳ１１で設定された自動選択の数Ｎとし、カメラ装置１０に設定させると設定された場合には、ステップＳ１３において、画像データ分析結果に基づいて自動選択の数Ｎをカメラ装置１０が自動で設定する。
【０１２１】
次いで、ステップＳ１４において、事前に複数設定されている撮影モード（図３、図４参照）の中より、入力画像に適した撮影モードをＮ個選択する。
【０１２２】
次に、ステップＳ１５において、選択したＮ個の撮影モードをＮ個のアイコン画像で表示部１４に表示する。
【０１２３】
次に、ステップＳ１６において、自動選択したＮ個の撮影モードで予備的に実際に撮像して、必要であればストロボ１８によりプリ発光もして予備的画像データを生成し、自動選択した撮影モードで撮影実行（本撮影）した場合のＮ個の静止画像データを予測演算処理により得る。
【０１２４】
換言すれば、本撮影した場合と同じ撮影条件でＮ個撮像して予備的画像データを生成し、さらに生成した予備的画像データに対し、本撮影した場合と同じ画像処理を行いＮ個の静止画像データを生成する。
【０１２５】
次いで、ステップＳ１７において、撮影予測画像生成部５６は、生成したＮ個の静止画像データを圧縮して、実際に撮像（本撮影）する画像の画素数より少ない画素数の撮影予測画像を生成し、表示部１４にＮ個に表示出力する。
【０１２６】
次いで、ステップＳ５において、生成したＮ個の撮影予測画像とスルー画像とを一緒に表示するとの選択がなされているかどうかを判定する。
【０１２７】
もし、一緒に表示するとの選択がなされたとき、ステップＳ１８において、表示部１４に表示出力させたＮ個の撮影予測画像（静止画）を、約２秒後に、表示部１４の画面の約１３％に縮小表示し、同時に、表示部１４の残りの部分にスルー画像を表示する。ここで、Ｎ個は４個であったものとする。
【０１２８】
そうすると、図１７Ｃに示すように、Ｓ１キー１６ａが押されているとき、表示部１４上には、表示部１４上の一部の領域に縮小された４個の撮影予測画像１２１、１２２、１２３、１２４（静止画）と、自動的に選択された４つの撮影条件と、モニタ画像であるスルー画像１１４とを同時に表示される。なお、スルー画像１１４（動画）を撮影予測画像１２１−１２４（静止画）より大きく表示することで被写体９８に対する画角の調整がし易くなる。
【０１２９】
この後、ステップＳ７において、Ｓ１キー１６ａが押されているかどうかが確認され、もし押されていない場合には、制御部２４は、Ｓ１キー１６ａの操作後、シャッターキー１６が本押しされることなく、Ｓ１キー１６ａの操作が解除されたものと判定し、ステップＳ２の判定処理にもどる。
【０１３０】
この場合、撮影モードの選択も解除され、図１７Ｂに示すように、再度、図１７Ａに示す被写体９８に対応したスルー画像１１０（動画）が表示部１４上に表示され撮影モードの選択がやり直しされる。
【０１３１】
その一方、ステップＳ７において、Ｓ１キー１６ａが押されたままで、シャッターキー１６が本押しされると（Ｓ２キー１６ｂが押されると）、ステップＳ８において、既に自動選択されているＮ個の撮影モードを用いて、実際に各々の撮影モードで撮影を実行し、合計Ｎ個の画像を撮像する（４連写する）。
【０１３２】
このように上述した第６実施例によれば、制御部２４は、Ｓ１キー１６ａが操作されたとき、少なくとも２つの撮影モードを自動選択し、自動選択した少なくとも２つの撮像モードで予備的に撮像して少なくとも２つの予備的画像データを得、少なくとも２つの該予備的画像データを前記撮影モードで予測演算処理して少なくとも２つの静止画像データを生成し、生成した少なくとも２つの前記静止画像データから、実際に撮像する画像の画素数より少ない画素数の少なくとも２つの撮影予測画像（この第５実施例では、４つの撮影予測画像１２１−１２４）を生成し、表示部１４上の一部に少なくとも２つ（ここでは、４つ）の撮影モードとともに、少なくとも２つ（ここでは、４つ）の撮影予測画像１２１−１２４を表示し、シャッターキー１６が操作されたとき、少なくとも２つ（ここでは、４つ）の撮影モードで連写して撮像して少なくとも２つ（ここでは、４つ）の画像データを生成するようにしているので、失敗撮影の確率をより減らすことができる。
【０１３３】
この場合、撮影モードの選択数は、撮影モード総数の半数以下とすることが好ましい。
【０１３４】
第５実施例又は第６実施例でＮ個の画像を連写した後の処理について、図１８のフローチャートを参照し、第７実施例として説明する。
【０１３５】
第７実施例
ステップＳ２０において、自動選択したＮ個の撮影モードを用いて撮影した合計Ｎ個の画像を表示部１４へ小画面で分割して同時に表示する。
【０１３６】
次いで、ステップＳ２１において、撮影者により記録メディア４２への保存画像が選択される。
【０１３７】
そして、ステップＳ２２において、画像の記録メディア４２への保存選択が選択されると、ステップＳ２３において、選択された画像が記録メディア４２に保存され、ステップＳ２２において、保存選択が選択されずに削除が選択された場合、ステップＳ２４で画像が消去される。
【０１３８】
なお、この発明は、上述の実施形態に限らず、この明細書の記載内容に基づき、種々の構成を採り得ることはもちろんである。
【図面の簡単な説明】
【０１３９】
【図１】この発明に係るカメラ装置における撮影モード選択補助方法が適用された一実施形態のカメラ装置の概略ブロック図である。
【図２】撮影条件の項目別設定範囲記憶部に記憶されている、カメラ装置が撮影条件として設定できる範囲の説明図である。
【図３】撮影モード毎の撮影条件保持記憶部に記憶されている撮影モード毎の撮影条件の設定値（大分類）の説明図である。
【図４】図３に示した撮影モード毎の撮影条件の設定値（大分類）に示されている撮影条件について、各種の揺れ（ばらつき）を考慮して各撮影モードのさらに細かな分類（中分類）の説明図である。
【図５】第１実施例の説明に供されるフローチャートである。
【図６】画像データの分析項目を示す説明図である。
【図７】図７Ａは、シャッターキーを半押しする前の表示部上の表示の説明図である。図７Ｂは、シャッターキーが半押しされているときの表示部上の表示を示す説明図である。
【図８】第２実施例の説明に供されるフローチャートである。
【図９】図９Ａは、被写体を示す模式的説明図である。図９Ｂは、シャッターキーを半押しする前の表示部上の表示の説明図である。図９Ｃは、シャッターキーが半押しされているときの撮影予測画像の説明図である。
【図１０】第３実施例の説明に供されるフローチャートである。
【図１１】図１１Ａは、被写体を示す模式的説明図である。図１１Ｂは、シャッターキーを半押しする前の表示部上の表示の説明図である。図１１Ｃは、シャッターキーが半押しされているときの撮影予測画像とスルー画像の同時表示の説明図である。
【図１２】第４実施例の説明に供されるフローチャートである。
【図１３】図１３Ａは、被写体を示す模式的説明図である。図１３Ｂは、シャッターキーの半押しが解除された後の表示部上の表示の説明図である。図１３Ｃは、シャッターキーが半押しされているときの撮影予測画像とスルー画像の同時表示の説明図である。
【図１４】第５実施例の説明に供されるフローチャートである。
【図１５】図１５Ａは、被写体を示す模式的説明図である。図１５Ｂは、シャッターキーが半押しされているときの表示部上の表示の説明図である。図１５Ｃは、シャッターキーが半押しされているときの２個の撮影予測画像とスルー画像の同時表示の説明図である。
【図１６】第６実施例の説明に供されるフローチャートである。
【図１７】図１７Ａは、被写体を示す模式的説明図である。図１７Ｂは、シャッターキーが半押しされているときの表示部上の表示の説明図である。図１７Ｃは、シャッターキーが半押しされているときの４個の撮影予測画像とスルー画像の同時表示の説明図である。
【図１８】Ｎ個の画像を連写した後の処理（第７実施例）の説明に供されるフローチャートである。
【符号の説明】
【０１４０】
１０…カメラ装置                      １４…表示部
１６…シャッターキー                  １６ａ…Ｓ１キー
１６ｂ…Ｓ２キー                      ５２…画像分析部
５４…撮影条件自動選択部              ５６…撮影予測画像生成部
５８…項目別分類条件保持記憶部        ６０…項目別設定範囲記憶部
６２…撮影条件保持記憶部
【図１】
2008136039.tif 000003
【図２】
2008136039.tif 000004
【図３】
2008136039.tif 000005
【図４】
2008136039.tif 000006
【図５】
2008136039.tif 000007
【図６】
2008136039.tif 000008
【図７】
2008136039.tif 000009
【図８】
2008136039.tif 000010
【図９】
2008136039.tif 000011
【図１０】
2008136039.tif 000012
【図１１】
2008136039.tif 000013
【図１２】
2008136039.tif 000014
【図１３】
2008136039.tif 000015
【図１４】
2008136039.tif 000016
【図１５】
2008136039.tif 000017
【図１６】
2008136039.tif 000018
【図１７】
2008136039.tif 000019
【図１８】
2008136039.tif 000020